(57)【要約】【課題】ＳＮＳ等を介してのライトフィールド画像の共有において、よりプライバシー保護に適した画像表示装置を提供することを目的とする。【解決手段】画像を表示する表示部と、前記画像が、複製された画像か否かを判断する複製判断部と、前記複製判断部の判断結果に基づいて、前記表示部に表示する前記画像のデータを制限する表示制限部と、を備える画像表示装置。【選択図】図８
2019047358.tif 000002
【特許請求の範囲】
【請求項１】
画像を表示する表示部と、
画像を記憶する記憶部と、
前記表示部で表示できる画像を生成する画像生成部と、
前記画像がダウンロードした画像であって、前記記憶部へ保存、読出した画像であるかどうかを判断するダウンロード記憶画像判断部と、
前記ダウンロード記憶画像判断部での判断結果に基づいて、前記表示部に表示する前記画像のデータを制限するダウンロード記憶画像表示制限部と、
を、備えることを特徴とする画像表示装置。
【請求項２】
前記画像生成部は、撮影された画像の光の強度を示す光線情報と、光線情報の方向を示す方向情報と、を保有するデータから、前記光線情報と、前記方向情報と、に基づいて画像を生成し、前記ダウンロード記憶画像表示制限部が、前記画像生成部が画像生成する場合の焦点の範囲を制限すること、を特徴とする請求項１に記載の画像表示装置。
【請求項３】
前記ダウンロード記憶画像判断部は、ダウンロードした画像であって、前記憶部に保存された画像であるかどうかを示す、前記画像に付与されているダウンロード記憶画像情報によって判断することを特徴とする請求項１に記載の画像表示装置。
【請求項４】
画像を表示する表示部と、
画像を記憶する記憶部と、
前記画像がダウンロードした画像であって、前記記憶部から読み出した画像であるかどうかを判断するダウンロード記憶画像判断部と、
前記ダウンロード記憶画像判断部での判断結果に基づいて、前記表示部に表示する前記画像のデータを制限するダウンロード記憶画像表示制限部と、
前記画像に、ダウンロード記憶画像情報を付与するダウンロード記憶画像情報付与部と、
を備えることを特徴とする画像表示装置。
【発明の詳細な説明】
【技術分野】
【０００１】
本発明は、画像表示装置に関する。
【背景技術】
【０００２】
近年、ライトフィールドカメラと呼ばれる撮像装置が実用化されている。この撮像装置は、イメージセンサ上にマイクロレンズアレイを配置し、マイクロレンズによって撮像装置に入射した光を分割することにより、複数の方向の光（光線情報）を撮影する。撮影された光線の強度と光線の入射方向に基づいて所定の計算処理をすることによって、任意の視点の画像や任意の位置にフォーカスを合わせた画像を再構築することができる。光線情報を撮影しておけば、撮影後に計算処理を施すことにより任意の画像を構築できる。また、画像内の奥行きを検出することができる。以上のような点がライトフィールドカメラの利点である。任意の画像の構築方法は特許文献１にて、公開されている。
【０００３】
一方、昨今のソーシャル・ネットワーキング・サービス（ＳＮＳ）の普及に伴い、クラウド上のサーバーに画像ファイルをアップロードして、画像共有を行う機会が増えつつある。
【０００４】
そのため今後、ＳＮＳを介してライトフィールドカメラで撮影した画像の共有を行うことが一般的になることが予想される。そして、共有されるライトフィールド画像において、友人、家族または本人等が被写体として撮影され、リフォーカス位置によっては撮影された人物を特定できるようなライトフィールド画像が共有されることも想定される。
【０００５】
また、特許文献２では、著作権保護のために、著作権保護情報を持つコンテンツを記録し、外部危機へ出力する際にコンテンツの解像度を半分以下に落として出力する技術が開示されている。
【０００６】
また、特許文献３では、パノラマ撮影や通常撮影等の撮影モードに適した焦点にて撮影するために、撮影モードによって撮影時の焦点を制限する技術が開示されている。
【先行技術文献】
【特許文献】
【０００７】
【特許文献１】特開２００９−１５９３５７号公報
【特許文献２】特開２００９−１４７９７２号公報
【特許文献３】特開平０５−１７５２１５号公報
【発明の概要】
【発明が解決しようとする課題】
【０００８】
上述したような、リフォーカス位置によっては個人を特定できるようなライトフィールド画像のＳＮＳを介した共有において、第３者がＳＮＳ上からダウンロードし、意図しない範囲に公開してしまうプライバシー保護の点での課題がある。
【０００９】
上述した特許文献２の先行技術を使用することで、第３者がＳＮＳ上からライトフィールド画像をダウンロードし、他のＳＮＳ等へと公開してしまう場合にライトフィールド画像の解像度を落とすことが可能となる。
【００１０】
しかし、解像度を落とすだけでは、本人と特定できてしまう可能性や、本人と特定できないようなリフォーカス位置での画像の解像度も落ちてしまう可能性がある。
【００１１】
上述した特許文献３の先行技術を使用することで、ライトフィールド画像のリフォーカス範囲を制限することが可能となる。
【００１２】
しかし、リフォーカス範囲を本人と特定できない範囲に制限することで、画像をアップロードした本人が、ライトフィールド画像を共有したいＳＮＳ上の範囲においても所望のリフォーカスをできない可能性がある。
【００１３】
そこで、本発明は、ＳＮＳ等を介してのライトフィールド画像の共有において、よりプライバシー保護に適した画像表示装置を提供することを目的とする。
【課題を解決するための手段】
【００１４】
上述した課題を解決するために、本発明の画像表示装置は、
（１）画像を表示する表示部と、
画像を記憶する記憶部と、
前記表示部で表示できる画像を生成する画像生成部と、
前記画像がダウンロードした画像であって、前記記憶部へ保存、読出した画像であるかどうかを判断するダウンロード記憶画像判断部と、
前記ダウンロード記憶画像判断部での判断結果に基づいて、前記表示部に表示する前記画像のデータを制限するダウンロード記憶画像表示制限部と、
を、備える。
【００１５】
（２）前記画像生成部は、撮影された画像の光の強度を示す光線情報と、光線情報の方向を示す方向情報と、を保有するデータから、前記光線情報と、前記方向情報と、に基づいて画像を生成し前記ダウンロード記憶画像表示制限部が、前記画像生成部が画像生成する場合の焦点の範囲を制限する。
【００１６】
（３）前記ダウンロード記憶画像判断部は、ダウンロードした画像であって、前記憶部に保存された画像であるかどうかを示す、前記画像に付与されているダウンロード記憶画像情報によって判断する。
【００１７】
（４）画像を表示する表示部と、
画像を記憶する記憶部と、
前記画像がダウンロードした画像であって、前記記憶部から読み出した画像であるかどうかを判断するダウンロード記憶画像判断部と、
前記ダウンロード記憶画像判断部での判断結果に基づいて、前記表示部に表示する前記画像のデータを制限するダウンロード記憶画像表示制限部と、
前記画像に、ダウンロード記憶画像情報を付与するダウンロード記憶画像情報付与部と、
を備える。
【発明の効果】
【００１８】
本発明によれば、ＳＮＳ等を介してのライトフィールド画像の共有において、よりプライバシー保護に適した画像表示装置を提供することが可能となる。
【図面の簡単な説明】
【００１９】
【図１】ライトフィールドカメラ内部の構成例を示す模式図である。
【図２】マイクロレンズアレイ１２とイメージセンサ１３の各画素との位置関係を示した模式図である。
【図３】マイクロレンズへの入射光線の進行方向と、イメージセンサ１３の記録領域との関係を説明する模式図である。
【図４】イメージセンサ１３に入射する光線の情報を説明するための模式図である。
【図５】リフォーカス演算処理を説明するための模式図である。
【図６】マイクロレンズへの入射角の違いと、イメージセンサ１３の記録領域との関係を説明する模式図である。
【図７】被写界深度の調整処理を説明するための模式図である。
【図８】本発明の実施形態１におけるＬＦ画像再生装置の構成を示すブロック図である。
【図９】本発明の実施形態１におけるＬＦ画像に付与される焦点変更可能情報を説明するための説明図である。
【図１０】本発明の実施形態１におけるＬＦ画像再生装置の動作を説明するためフロー図である。
【図１１】本発明の実施形態１におけるＬＦ画像再生装置が生成する焦点受付ＵＩ画面を説明するための説明図である。
【図１２】本発明の実施形態２におけるＬＦ画像再生装置が生成する焦点受付ＵＩ画面を説明するための説明図である。
【図１３】本発明の実施形態３におけるＬＦ画像再生装置の構成を示すブロック図である。
【発明を実施するための形態】
【００２０】
《実施例１》
「ライトフィールドカメラの説明」
以下、添付図面を参照して、本発明の例示的な実施形態について詳細に説明する。本発明の実施形態に係る画像処理装置の説明に先立ち、ＬＦカメラについて説明する。
【００２１】
図１は、ＬＦカメラの概略構成を例示する。撮像光学系を構成する撮像レンズ１１を通過してマイクロレンズアレイ１２に入射した被写体からの光は、イメージセンサ１３によって光電変換されて電気信号が得られる。なお、ここで得られた撮像データはＬＦデータである。
【００２２】
撮像レンズ１１は、被写体からの光をマイクロレンズアレイ１２に投射する。撮像レンズ１１は交換可能であり、撮像装置１０の本体部に装着して使用する。ユーザーは撮像レンズ１１のズーム操作により撮像倍率を変更することができる。マイクロレンズアレイ１２は、微小レンズ（マイクロレンズ）を格子状に配列して構成されており、撮像レンズ１１とイメージセンサ１３の間に位置する。マイクロレンズアレイ１２を構成する各マイクロレンズは、撮像レンズ１１からの入射光を分割し、分割した光をイメージセンサ１３に出力する。
【００２３】
撮像部を構成するイメージセンサ１３は、複数の画素を有する撮像素子であり、各画素にて光の強度を検出する。被写体からの光を受光するイメージセンサ１３の各画素には、各マイクロレンズによって分割した光がそれぞれ入射する。図２は、マイクロレンズアレイ１２とイメージセンサ１３の各画素との位置関係を示す模式図である。
【００２４】
マイクロレンズアレイ１２の各マイクロレンズは、イメージセンサ１３における複数の画素が対応するように配置される。イメージセンサ１３の各画素には各マイクロレンズが分割した光が入射し、各画素にて異なる方向からの光の強度（光線情報）を検出することができる。また、各マイクロレンズとイメージセンサ１３の各画素との位置関係に応じて、マイクロレンズを介してイメージセンサ１３の各画素に入射した光線の入射方向（方向情報）が分かる。
【００２５】
すなわち、光の強度分布と併せて、光の進行方向の情報が検出される。マイクロレンズアレイ１２のレンズ頂点面からの距離が異なる焦点面での像は、各マイクロレンズの光軸からの偏心量に対応した位置にあるイメージセンサ１３の画素の各出力を合成することで得られる。なお、光線は位置や方位、波長などのパラメータを用いて、平行な２平面によってパラメータ化される関数で表される。つまり、各マイクロレンズに対応する複数の画素の配置によって各画素への光の入射方向が決まっている。
【００２６】
以上のように、撮像装置１０は光線情報と方向情報を取得し、光線の並べ替えと計算処理（以下、再構築という）を行うことにより、任意のフォーカス位置や視点での画像データを生成できる。この光線情報および方向情報はＬＦデータに含まれる。この場合のフォーカス位置は、撮影後にユーザーが所望の画像領域に焦点を合わせることが可能な焦点位置である。
【００２７】
図３は、マイクロレンズアレイ１２のマイクロレンズへの入射光線の進行方向と、イメージセンサ１３の記録領域との関係を説明する模式図である。撮像レンズ１１による被写体の像は、マイクロレンズアレイ１２上に結像し、マイクロレンズアレイ１２への入射光線はマイクロレンズアレイ１２を介してイメージセンサ１３で受光される。このとき、図３に示すように、マイクロレンズアレイ１２への入射する光線は、その進行方向に応じてイメージセンサ１３上の異なる位置で受光され、撮像レンズ１１の形状に相似形となる被写体の像がマイクロレンズ毎に結像する。
【００２８】
図４は、イメージセンサ１３に入射する光線の情報を説明するための模式図である。イメージセンサ１３で受光される光線について図４を用いて説明する。ここで、撮像レンズ１１のレンズ面上における直交座標系を（ｕ，ｖ）とし、イメージセンサ１３の撮像面上における直交座標系（ｘ，ｙ）とする。さらに、撮像レンズ１１のレンズ面とイメージセンサ１３の撮像面との距離をＦとする。すると、撮像レンズ１１およびイメージセンサ１３を通る光線の強度は、図中で示す４次元関数Ｌ（ｕ，ｖ，ｘ，ｙ）で表すことができる。
【００２９】
各マイクロレンズに入射する光線は、進行方向に応じて異なる画素に入射されることから、イメージセンサ１３では、光線の位置情報に加え、光線の進行方向を保持する上記の４次元関数Ｌ（ｕ，ｖ，ｘ，ｙ）が記録される。
【００３０】
次に、撮像後のリフォーカス演算処理について説明する。図５は、リフォーカス演算処理を説明するための模式図である。図５に示すように、撮像レンズ面、撮像面、リフォーカス面の位置関係を設定した場合、リフォーカス面上の直交座標系（ｓ、ｔ）における光線の強度Ｌ’（ｕ，ｖ，ｓ，ｔ）は、以下の（１）式のように表される。
【００３１】
【数１】
2019047358.tif 000003
【００３２】
また、リフォーカス面で得られるイメージＥ’（ｓ，ｔ）は、上記強度Ｌ’（ｕ，ｖ，ｓ，ｔ）をレンズ口径に関して積分したものとなるので、以下の（２）式のように表される。
【００３３】
【数２】
2019047358.tif 000004
【００３４】
従って、この（２）式からリフォーカス演算処理を行うことで、任意の焦点（リフォーカス面）に設定した画像を再構築することができる。
【００３５】
続いて、撮像後の被写界深度の調整処理について説明する。上記リフォーカス演算の前に、各マイクロレンズに割り当てられた画像領域を形成する画像データ毎に重み係数を乗じて重み付けを行う。例えば、被写界深度の深い画像を生成したい場合には、イメージセンサ１３の受光面に対して相対的に小さな角度で入射する光線の情報のみを用いて積分処理を行う。言い換えると、イメージセンサ１３への入射角が相対的に大きい光線に関しては、重み係数０（ゼロ）を乗じることにより積分処理に含めない。
【００３６】
図６は、マイクロレンズへの入射角の違いと、イメージセンサ１３の記録領域との関係を説明する模式図であり、図７は、被写界深度の調整処理を説明するための模式図である。図６に示すように、イメージセンサ１３への入射角が相対的に小さい光線は、より中央の領域に位置することになる。従って、図７に示すように、領域の中央部（図中の斜線部）で取得された画素データのみを用いて積分処理が行われる。
【００３７】
このような処理を行うことで、一般的な撮像装置などに具備される開口絞りをあたかも絞ったかのように、被写界深度の深い画像を表現することができる。使用する中央部の画素データを更に少なくすることで、被写界深度のより深いパンフォーカス画像の生成も可能となる。以上のように、実際に取得したＬＦデータ（光線情報）に基づいて、撮影後に画像の被写界深度を調整することができる。
【００３８】
「ＬＦ画像再生装置８０１のブロック図の説明」
図８は、本発明の実施の形態１に係るＬＦ画像再生装置８０１の構成を示している。ＬＦ画像再生装置８０１の各処理部について、図８を用いて説明する。
【００３９】
通信部８０２は、インターネット等を経由してＳＮＳにアクセスする通信部である。ＬＦ画像入力部８０３は、通信部８０２を介してＳＮＳにアップロードされているＬＦ画像を入力する入力部である。ＬＦ画像保存処理部８０４は、ＬＦ画像入力部８０３から取得したＬＦ画像の焦点変更可能範囲情報を、焦点変更可能範囲情報更新部８０５によって更新して、ＬＦ画像記憶部８０７に保存する処理部である。焦点変更可能範囲情報更新部８０５は、ＬＦ画像入力部８０３から取得したＬＦ画像をＬＦ画像記憶部８０７へ保存する際に、ＬＦ画像の焦点変更可能範囲情報を更新する処理部である。焦点変更可能範囲情報については、後述する。
【００４０】
ＬＦ画像記憶部８０７は、ＬＦ画像入力部８０３から取得したＬＦ画像を記憶する処理部である。ＬＦ画像デコード部８０８は、ＬＦ画像入力部８０３または、ＬＦ画像記憶部８０７から取得したＬＦ画像をデコードする処理部である。焦点変更可能範囲情報抽出部８０９は、ＬＦ画像デコード部８０８でデコードするＬＦ画像の焦点変更可能範囲を抽出する処理部である。焦点受付部８１０は、図示しないリモコン等によって、ユーザーによって指定されるＬＦ画像デコード部８０８でのＬＦ画像デコード時の焦点を受け付ける処理部である。
【００４１】
焦点決定部８１１は、焦点受付部８１０から指定された焦点と、焦点変更可能範囲情報抽出部８０９から指定される、焦点変更可能範囲情報とからＬＦ画像デコード部８０８でのＬＦ画像デコード時の焦点を決定する処理部である。焦点決定部８１１は、焦点受付部８１０から指定された焦点が、焦点変更可能範囲情報の焦点変更可能範囲内であれば、指定された焦点をＬＦ画像デコード時の焦点として決定する。また、焦点受付部８１０にて受付可能な焦点は、焦点変更可能範囲情報の焦点変更可能範囲内である。
【００４２】
表示部８１２は、ＬＦ画像デコード部８０８でデコードされた画像と、焦点受付ＵＩ画面生成部８１３で生成されたＵＩ画面とを、合成部８１４で合成した映像を表示する処理部である。焦点受付ＵＩ画面生成部８１３は、ユーザーが、焦点受付部８１０によってＬＦ画像デコード時の焦点を指定するためにＵＩ画面を生成する処理部である。焦点受付ＵＩ画面生成部８１３が生成する焦点受付ＵＩ画面については後述する。合成部８１４は、焦点受付ＵＩ画面生成部８１３が生成する焦点受付ＵＩ画面と、ＬＦ画像デコード部８０８でデコードされたＬＦ画像とを合成した映像を表示部８１２に送信する処理部である。
【００４３】
「ＬＦ画像再生装置８０１のブロック図の補足」
焦点決定部８１１は、焦点変更可能範囲情報更新部８０５で更新され、焦点変更可能範囲情報抽出部８０９により抽出された焦点変更可能範囲情報か再生対象の画像が、ダウンロードした画像であって記憶部へ保存、読出した画像であるかどうかを判断している。焦点決定部８１１は、その判断結果に基づいて表示するＬＦ画像の焦点を制限している。つまり、表示する画像を制限した画像表示を行っていることとなる。
【００４４】
「焦点変更可能範囲情報の説明」
焦点変更可能範囲情報について図９を用いて説明する。図９は、ＬＦ画像再生装置８０１にて、デコードされるＬＦ画像を示す図９（ａ）と、図９（ａ）のＬＦ画像内のオブジェクトの位置関係を示す図９（ｂ）と、図９（ａ）のＬＦ画像に付与される焦点変更可能範囲情報を示す図９（ｃ）とから成る。図９（ａ）で示すＬＦ画像９０１は、ＬＦ画像再生装置８０１でデコードされるＬＦ画像である。図９（ｂ）の９０４は位置関係の奥行図である。
【００４５】
この奥行図は、ＬＦ画像９０１のオブジェクト９０２、オブジェクト９０３の奥行と左右の位置関係を示している。軸９０５が奥行きの位置を示している。軸９１０が左右の位置を示している。図９（ｃ）で示す焦点変更可能範囲情報９１０は、ＬＦ画像９０１に付与されている焦点変更可能範囲情報である。
【００４６】
焦点変更可能範囲情報９１０は、ＬＦ画像再生装置８０１がＬＦ画像９０１をデコードする際に、デコード時の焦点として指定可能は焦点の範囲を示す。焦点変更可能範囲情報９１０は、複製コンテンツ判断識別子９１１と、オリジナルコンテンツ焦点変更可能範囲９１２と、複製コンテンツ焦点可能範囲９１３の情報を持つ。複製コンテンツ判断識別子９１１は、ＬＦ画像９０１が複製されたコンテンツか否かの判断するパラメータである。複製コンテンツ判断識別子９１１の値が１の場合は、ＬＦ画像９０１が、複製コンテンツであることを示す。複製コンテンツ判断識別子９１１の値が０の場合は、ＬＦ画像９０１が、オリジナルのコンテンツであることを示す。
【００４７】
本実施例の場合、ＳＮＳにアップされているＬＦ画像９０１を、ＬＦ画像記憶部８０７に保存する際に、焦点変更可能範囲情報更新部８０５が、ＬＦ画像９０１の焦点変更可能範囲情報９１０の複製コンテンツ判断識別子９１１を０から１に変更する。オリジナルのＬＦ画像保有者がＳＮＳ上にＬＦ画像をアップロードした場合、第３者がそのＬＦ画像をローカルの記憶媒体に複製・保存せずデコードする場合の複製コンテンツ判断識別子はオリジナルコンテンツを示す値となる。
【００４８】
さらに、第３者がそのＬＦ画像をＳＮＳからダウンロードし、ローカルの記憶媒体に複製・保存すると複製コンテンツ判断識別子は複製コンテンツを示す値となる。オリジナルＬＦ画像と、複製ＬＦ画像のデータフローについては後述する。オリジナルコンテンツ焦点変更可能範囲９１２は、ＬＦ画像９０１がオリジナルのＬＦ画像、つまり複製されたＬＦ画像ではない場合の、ＬＦ画像９０１デコード時の焦点として指定可能な範囲を示すパラメータである。オリジナルコンテンツ焦点変更可能範囲９１２の値は、焦点１〜１０を示している場合、ＬＦ画像９０１デコード時に、奥行９０５から奥行９０９の範囲での焦点指定が可能である。
【００４９】
複製コンテンツ焦点可能範囲９１３は、ＬＦ画像９０１が複製されたＬＦ画像である場合の、ＬＦ画像９０１デコード時の焦点として指定可能な範囲を示すパラメータである。複製コンテンツ焦点可能範囲９１３の値は、焦点７〜９を示している場合、ＬＦ画像９０１デコード時に、奥行９０７から奥行９０８の範囲での焦点指定が可能である。
【００５０】
「オリジナルＬＦ画像と、複製ＬＦ画像のデータフローの説明」
ＳＮＳ上にアップロードされているＬＦ画像がオリジナルＬＦ画像の場合、オリジナルＬＦ画像と、複製ＬＦ画像のデータフローについて説明する。ＬＦ画像デコード部８０８でデコードするＬＦ画像がオリジナルである場合は、通信部８０２、ＬＦ画像入力部８０３を介してＬＦ画像をデコードする場合である。ＬＦ画像デコード部８０８でデコードするＬＦ画像が複製である場合は、通信部８０２、ＬＦ画像入力部８０３、ＬＦ画像保存処理部８０４を介してＬＦ画像記憶部８０７で記憶された画像をデコードする場合である。
【００５１】
ただし、ＳＮＳ上にアップロードされているＬＦ画像が既に複製画像である場合は、上記の２つのケースにおいて、どちらも、ＬＦ画像デコード部８０８でデコードするＬＦ画像は複製画像となる。
【００５２】
「ＬＦ画像再生装置８０１処理フローの説明」
ＬＦ画像再生装置８０１のＬＦ画像表示処理の処理フローを、図１０のフロー図を用いて説明する。ＬＦ画像再生装置８０１は、通信部８０２から取得したＬＦ画像を、ＬＦ画像デコード部８０８にてデコードし、表示部８１２にて映像として表示する。ＬＦ画像デコード部８０８でデコードされるＬＦ画像は、ＳＮＳから取得し、ＬＦ画像記憶部８０７にて記憶されているＬＦ画像か、ＬＦ画像入力部８０３から直接取得したＳＮＳ上のＬＦ画像をデコードして表示する。
【００５３】
ＬＦ画像再生装置８０１は、ＬＦ画像デコード部８０８でデコードするＬＦ画像の焦点変更可能範囲情報を、焦点変更可能範囲情報抽出部８０９により取得する（Ｓ１００２）。焦点決定部８１１は、焦点変更可能範囲情報抽出部８０９により取得した焦点変更可能範囲情報の解析を行う（Ｓ１００３）。焦点決定部８１１は、焦点変更可能範囲情報解析の結果、焦点変更可能範囲情報９１０の複製コンテンツ判別識別子９１１の値が１の場合は、複製コンテンツだと判断する（Ｓ１００４がＹＥＳ）。
【００５４】
焦点決定部８１１は、デコード対象ＬＦ画像が、複製コンテンツだと判断すると、焦点変更可能範囲を複製コンテンツ焦点変更可能範囲９１３とする（Ｓ１００５）。焦点決定部８１１は、焦点変更可能範囲情報解析の結果、焦点変更可能範囲情報９１０の複製コンテンツ判別識別子９１１の値が０の場合は、オリジナルコンテンツだと判断する（Ｓ１００４がＮＯ）。焦点決定部８１１は、デコード対象ＬＦ画像が、オリジナルコンテンツだと判断すると、焦点変更可能範囲をオリジナルコンテンツ焦点変更可能範囲９１４とする（Ｓ１００６）。
【００５５】
焦点決定部８１１は、焦点変更可能範囲を設定すると、焦点受付部８１０により、ユーザーから指定される焦点を受け付ける（Ｓ１００７）。焦点受付部８１０により受け付け可能な焦点は、Ｓ１００５またはＳ１００６で設定された焦点変更可能範囲内の焦点となる。焦点決定部８１１は、焦点変更可能範囲内でユーザーから受け付けた焦点をＬＦ画像デコード部８０８でのＬＦ画像デコード時の焦点として決定する（Ｓ１００８）。焦点決定部８１１でＬＦ画像デコード時の焦点が決定されると、ＬＦ画像デコード部８０８は、決定された焦点でデコードを行う（Ｓ１００９）。
【００５６】
「焦点受付ＵＩ画面の説明」
焦点受付ＵＩ画面生成部８１３が生成する焦点受付ＵＩ画面について図１１の説明図を用いて説明する。図１１の表示画面１１０１は、ＬＦ画像デコード部８０８が生成するＬＦ画像がデコードされた画像と、焦点受付ＵＩ画面生成部８１３が生成するＵＩとが、合成部８１４により合成された映像が、表示部８１２で表示される画面である。ＵＩ１１０４は、焦点受付ＵＩ画面生成部８１３が生成する焦点受付ＵＩである。ユーザーは図示しないリモコン等によりカーソル１１０５を上下に移動させせることで、ＬＦ画像デコード時の焦点を指定する。
【００５７】
カーソル１１０５を下に移動させることで焦点は手前となり、カーソルを上に動かすことで焦点は奥となる。ポインタ１１０６は、焦点変更可能範囲の奥方向の限界を示している。ポインタ１１０７は、焦点変更可能範囲の手前方向の限界を示している。例えば、表示しているＬＦ画像がＬＦ画像９０１のオリジナルＬＦ画像である場合、焦点変更可能範囲はオリジナルコンテンツ焦点変更範囲９１２から、ポインタ１１０６が１０、ポインタ１１０７が１となる。
【００５８】
また、表示しているＬＦ画像がＬＦ画像９０１の複製ＬＦ画像である場合、焦点変更可能範囲は複製コンテンツ焦点変更範囲９１３から、ポインタ１１０６が９、ポインタ１１０７が７となる。カーソル１１０５の稼働範囲は、ポインタ１１０６と、ポインタ１１０７の間、つまり、焦点変更可能範囲内となる。
【００５９】
「実施例１まとめ」
以上のように、本実施例でのＬＦ画像再生装置は、ＬＦ画像に付与された焦点変更可能範囲情報による焦点変更可能範囲の制御を行うことで、オリジナルコンテンツと、複製コンテンツの焦点変更可能範囲を設定することが可能となる。そのため、例えば、第３者がＳＮＳ上のＬＦ画像を複製・保存し、オリジナルコンテンツ保有者の意図しないＳＮＳ等にＬＦ画像を公開された場合も、オリジナルコンテンツ保有者が許可する範囲内のみの焦点でのデコードに限定されるため、ユーザーのプライバシー保護に適したＬＦ画像の共有が容易となる。
【００６０】
なお、本実施例ではＬＦ画像の合焦範囲制御に関して説明したが、通常画像を複製・保存する際に、画像全体、または、特定領域をぼかすやモザイクをかける等により人物等の特定をできない画像に加工するとしてもよい。
【００６１】
《実施例２》
実施の形態１に係るＬＦ画像再生装置において、オリジナルＬＦ画像表示時に、複製コンテンツ焦点変更可能範囲をＵＩとして提示する。オリジナルＬＦ画像表示時に、複製コンテンツ焦点変更可能範囲を提示するＵＩを図１２の説明図で説明する。
【００６２】
図１２の表示画面１２０１において、実施の形態１に係る表示画面１１０１と同じ番号のＵＩは、表示画面１１０１と同等の意味を持つ。ポインタ１１０６と、ポインタ１１０７は、表示画面に表示しているＬＦ画像がオリジナルのＬＦコンテンツである場合に表示するポインタである。ポインタ１２０２、ポインタ１２０３は、現在表示中のＬＦ画像を複製した場合の、焦点変更可能範囲を示している。
【００６３】
つまり、表示中ＬＦ画像の焦点変更可能範囲情報９１０の複製コンテンツ焦点変更可能範囲９１３を示している。ポインタ１２０２は、複製コンテンツ焦点変更可能範囲の奥方向の限界を示している。ポインタ１２０３は、複製コンテンツ焦点変更可能範囲の手前方向の限界を示している。
【００６４】
「実施例２まとめ」
以上のように、本実施例でのＬＦ画像再生装置は、ＬＦ画像の複製前に、複製後のＬＦ画像の焦点変更可能範囲の把握が容易となり、ＬＦ画像複製の判断が容易となる。
【００６５】
《実施例３》
図１３は、本発明の実施の形態３に係るＬＦ画像再生装置１３０１の構成を示している。ＬＦ画像再生装置１３０１の各処理部について、図１３を用いて説明する。ＬＦ画像再生装置１３０１において、実施の形態１に係るＬＦ像再生装置８０１と同じ番号の処理部は、ＬＦ画像再生装置８０１と同等の処理を行う処理部である。ＬＦ画像出力部１３０３は、ＬＦ画像記憶部８０７に保存されているＬＦ画像を、通信部８０２を介してＳＮＳにアップロードする処理部である。
【００６６】
焦点変更可能範囲情報付与部１３０２は、ＬＦ画像出力部１３０３によってアップロードされるＬＦ画像がオリジナルＬＦ画像である場合に、図示しないリモコン等によりユーザーに指定されたオリジナルコンテンツ焦点変更可能範囲と、複製コンテンツ焦点変更可能範囲情報とを、含む焦点変更可能範囲情報を付与する処理部である。
【００６７】
ＬＦ画像出力部１３０３は、アップロードするＬＦ画像がオリジナルＬＦ画像である場合は、焦点変更可能範囲情報付与部１３０２により付与された焦点変更可能範囲情報を付与したＬＦ画像をアップロードする。
【００６８】
例えば、図９の焦点変更可能範囲情報９１０に関して説明すると、ＬＦ画像に付与する焦点変更可能範囲情報９１０のオリジナルコンテンツ焦点変更可能範囲９１２と、複製コンテンツ焦点可能範囲９１３は、オリジナルコンテンツ所有者が、図示しないリモコン等を用いて、焦点変更可能範囲情報付与部１３０２により任意の範囲を設定可能である。
【００６９】
「実施例３まとめ」
以上のように、本実施例でのＬＦ画像再生装置は、焦点変更可能範囲情報を付与する処理部を備えることで、ユーザーの意図するオリジナルコンテンツ、複製コンテンツの焦点変更可能範囲の設定が容易となる。
【符号の説明】
【００７０】
８０１、１３０１：ＬＦ画像再生装置
８０２：通信部
８０３：ＬＦ画像入力部
８０４：ＬＦ画像保存処理部
８０５：焦点変更可能範囲情報更新部
８０７：ＬＦ画像記憶部
８０８：ＬＦ画像デコード部
８０９：焦点変更可能範囲情報抽出部
８１０：焦点受付部
８１１：焦点決定部
８１２：表示部
８１３：焦点受付ＵＩ画面生成部
８１４：合成部
１３０２：焦点変更可能範囲情報付与部
１３０３：ＬＦ画像出力部
【図１】
2019047358.tif 000005
【図２】
2019047358.tif 000006
【図３】
2019047358.tif 000007
【図４】
2019047358.tif 000008
【図５】
2019047358.tif 000009
【図６】
2019047358.tif 000010
【図７】
2019047358.tif 000011
【図８】
2019047358.tif 000012
【図９】
2019047358.tif 000013
【図１０】
2019047358.tif 000014
【図１１】
2019047358.tif 000015
【図１２】
2019047358.tif 000016
【図１３】
2019047358.tif 000017